(57)【要約】      （修正有）【課題】ズームレンズの光学性能を向上させるため、複数の離間した位置に配される変倍移動群の相対位置関係を保持しつつ、且つ同期可能な機構を提供する。【解決手段】複数の変倍移動群５，６，８により構成され、少なくとも１つの変倍移動群８が可変絞り機構１３等を挟んで隔離された位置に配される撮影レンズにおいて、主たる変倍移動群５，６及び変位伝達用移動環７に各々複数のカムフォロア５０，６０を突設し、固定筒２の内周に設けた直溝２ａ、２ｂと光軸周りに回転可能な円筒カム環３に設けた複数の案内溝３ａ、３ｃに係合させる構成とする。【選択図】図１
2018025577.tif 000002
【特許請求の範囲】
【請求項１】
ズーム光学系が１つ以上の主たる変倍移動群と１つ以上の隔離された変倍移動群により構成され、該１つ以上の主たる変倍移動群と該１つ以上の隔離された変倍移動群の間に可変絞り機構が配置された撮影レンズにおいて、該レンズは操作環、固定された直溝環、該操作環に連結して回転するカム環により構成されており、前記１つ以上の主たる変倍移動群には各々複数のカムフォロアを、またそれぞれの前記１つ以上の隔離された変倍移動群に変位を伝達するために設けた１つ以上の変位伝達用移動環には各々複数のカムフォロアを突設し、前記カムフォロアの全てが前記カム環に設けられた複数のカム溝と前記直溝環に設けられた複数の直溝に係合していることを特徴とする撮影レンズ。
【請求項２】
前記１つ以上の隔離された変倍移動群はレンズ本体または固定群に設けられた直動ガイドにより光軸方向にのみ移動可能に保持され、前記１つ以上の変位伝達用移動環との間に介在する前記可変絞り機構に設けた逃げを挿通する直動伝達部材によって該１つ以上の変位伝達用移動環に連結していることを特徴とする請求項１に記載の撮影レンズ。 
【発明の詳細な説明】
【技術分野】
【０００１】
本発明は撮影レンズに関し、特にラージフォーマットにおける更なる高倍率化、近赤外対応時に倍率色収差のズーム変動抑制に大いなる効果を発揮する光学配置を実現するための機構に関するものである。
【背景技術】
【０００２】
従来複数の変倍移動群を有するレンズにおける場合、移動群の数だけサイドカム（鏡筒外に配される中実の棒状カム）を用意し、これらを連結させて１本の棒カムを組立て前記複数の移動群に設けたカムフォロワを係合させて駆動する手段があった。
【０００３】
例えば、特許文献１では複数の棒カムに加工されたカム同士の位相を工具により合わせて連結することにより１本の棒カムとして成立させる構造が開示されている。
【先行技術文献】
【特許文献】
【０００４】
【特許文献１】特許第３１８６１５５号公報
【発明の概要】
【発明が解決しようとする課題】
【０００５】
しかしながら、上述の特許文献1に開示された従来技術では、複数の変倍移動群に高い相対位置精度が求められる場合には棒カム同士の位相合わせは工具を用いても得られないレベルの角度位置精度が要求されるため、この手法は適用できない。
【０００６】
そこで、本発明の目的は、複数の離間した位置に配される変倍移動群の相対位置関係を高精度に保ちつつ連動可能であり、頑強かつ小型で安価なレンズを提供することである。
【課題を解決するための手段】
【０００７】
上記目的を達成するために、本発明は、ズーム光学系が１つ以上の主たる変倍移動群と１つ以上の隔離された変倍移動群により構成され、該１つ以上の主たる変倍移動群と該１つ以上の隔離された変倍移動群の間に可変絞り機構等が配置された撮影レンズにおいて、該レンズは操作環、固定された直溝環、該操作環に連結して回転するカム環により構成されており、前記１つ以上の主たる変倍移動群には各々複数のカムフォロアを、またそれぞれの前記１つ以上の隔離された変倍移動群に変位を伝達するために設けた１つ以上の変位伝達用移動環には各々複数のカムフォロアを突設し、前記カムフォロアの全てが前記カム環に設けられた複数のカム溝と前記直溝環に設けられた複数の直溝に係合していることを特徴とする。
【発明の効果】
【０００８】
本発明によれば、カム環の分割や、隔離された変倍移動群近傍まで伸延したカム環、隔離移動群の電動化による複数の変倍群の同期駆動と比較して機構が簡素で安価、周辺機構設計の自由度が高く頑強でコンパクトな撮影レンズを提供することができる。
【図面の簡単な説明】
【０００９】
【図１】本発明の実施例におけるレンズ本体の断面図
【図２】図１におけるＡ−Ａ断面図
【図３】本発明の実施例におけるレンズ本体の要部斜視図
【図４】図３における変倍移動群及び連結部の斜視詳細図
【図５】図４における隔離された変倍移動群に連結した部材のみを抽出した斜視詳細図
【発明を実施するための形態】
【００１０】
以下に、本発明の好ましい実施の形態を、添付の図面に基づいて詳細に説明する。図１は、本発明の実施形態にかかわるレンズ本体の断面図であり、図２は図１におけるＡ−Ａ断面図である。また図３はレンズ本体の要部斜視図を表し、図４は図３における変倍移動群及び連結部の斜視詳細図である。さらに図５は図４における隔離された変倍移動群に連結した部材、すなわち変位伝達用移動環及び連結部、隔離された変倍移動群のみを抽出した斜視詳細図を表している。
【００１１】
［実施例］
以下、図１から図５を参照して、本発明の実施例によるレンズ駆動機構について説明する。
【００１２】
図１において変倍操作環１は固定筒２の外周に嵌合しており、光軸周りの回転のみが許容されている。該固定筒２の内周に嵌合した円筒カム環３には各々複数の案内溝３ａ、３ｂ 、３ｃが設けられており、該円筒カム環３の外周には操作連動ピン４が突設されている。また、前記固定筒２の内周には前記複数の案内溝３ａ、３ｂ 、３ｃに対応する複数の直溝２ａ、２ｂ 、不図示の２ｃが設けられている。前記操作連動ピン４は該固定筒２に設けられた光軸周りの逃げ溝２ｄを挿通して前記変倍操作環１に係合し、該変倍操作環１と前記円筒カム環３は連動して光軸周りに回転する。
【００１３】
変倍移動群５、６及び変位伝達用移動環７には各々複数のカムフォロア５０、６０、７０が光軸と直交する方向に突設されている。該複数のカムフォロア５０、６０、７０に保持された該変倍移動群５、６及び該変位伝達用移動環７は、該円筒カム環３の回転に伴い各々前記複数の直溝２ａ、２ｂ 、２ｃ及び前記複数の案内溝３ａ、３ｂ 、３ｃに案内される。これにより前記変倍移動群５、６及び前記変位伝達用移動環７は該円筒カム環３の回転量に応じた距離だけ光軸方向へ移動する。
【００１４】
一方、他のレンズ構成機構により前記変倍移動群５、６と隔離された変倍移動群８には光軸方向に一定の間隔を与えた複数のカムフォロア８０が光軸と直交する方向に突設されている。該複数のカムフォロア８０は、固定鏡筒９に光軸と平行に設けられた複数の直溝９ａに係合しており、前記隔離された変倍移動群８は倒れを規制されつつ光軸方向への移動のみを許容されている。
【００１５】
また、収差補正兼合焦用移動群１０には光軸方向に一定の間隔を与えた複数のカムフォロア１００が光軸と直交する方向に突設されている。該複数のカムフォロア１００は、前記固定筒２に光軸と平行に設けられた複数の直溝２ｅに係合しており、該収差補正兼合焦用移動群１０は倒れを規制されつつアクチュエータ１１により光軸方向に変倍量に応じて移動する。
【００１６】
前記変位伝達用移動環７に係合された第１の直動伝達部材１２は、前記収差補正兼合焦用移動群１０に設けた逃げ穴１０ａ及び可変絞り機構１３に設けた逃げ穴１３ａをそれぞれ挿通し、第２の直動伝達部材１４と係合している。さらに該第２の直動伝達部材１４は前記隔離された変倍移動群８に係合している。従って図５に表した前記変位伝達用移動環７、該第１の直動伝達部材１２、該第２の直動伝達部材１４、該隔離された変倍移動群８は一体となり、前記複数の直溝２ｃ及び前記複数の案内溝３ｃに案内されて光軸方向に移動する。
【００１７】
ここで前記変位伝達用移動環７と前記第１の直動伝達部材１２の係合部において前記変倍移動群５、６と該隔離された変倍移動群８の光軸方向の微小な間隔調整を行い、係止締結部材１５により固定している。
【００１８】
以上のような構成で前記円筒カム環３と連動した前記変倍操作環１を回転すると、前記複数の直溝２ａ、２ｂ 、２ｃ及び前記複数の案内溝３ａ、３ｂ 、３ｃに案内されて前記変倍移動群５、６及び前記隔離された変倍移動群８が光軸方向へ所定量移動する。
【００１９】
本実施例においては、他のレンズ構成機構を挟んで離間された変倍移動群を単一の短いカム環で高精度に駆動できるため、加工が容易で組立性も良く、周辺機構設計の自由度の高い、頑強でコンパクトかつ安価なレンズを提供できる。
【００２０】
以上、本発明の好ましい実施形態について説明したが、本実施例における主たる変倍移動群を２群、他のレンズ構成機構により隔離された変倍移動群を１群とした構成については、各変倍移動群の数を自由に設定可能である。また、該隔離された変倍移動群を光軸方向に案内する直動案内機構も多様な機構が考えられ、２体で構成した直動伝達部材は１体化しても良い。さらに、収差補正兼合焦用移動群の駆動機構には変倍動作に伴った高い追従性が求められるが、本実施例のような駆動方式以外の構成でも機能は成立する。
【００２１】
すなわち本発明は本実施形態に限定されず、その要旨の範囲内で種々の変形及び変更が可能である。
【産業上の利用可能性】
【００２２】
ズームレンズの光学性能を向上させるため、他のレンズ構成機構を挟んで離間された複数の変倍移動光学系を高精度に同期させて光軸方向へ所定量移動させる手段として利用される。
【符号の説明】
【００２３】
１  ：変倍操作環
２  ：固定筒
２ａ,２ｂ,２ｃ ：複数の直溝
２ｄ：逃げ溝
２ｅ：複数の直溝
３  ：円筒カム環
３ａ,３ｂ,３ｃ ：複数の案内溝
４  ：操作連動ピン
５  ：変倍移動群
６  ：変倍移動群
７  ：変位伝達用移動環
８  ：隔離された変倍移動群
９  ：固定鏡筒
９ａ：複数の直溝
１０  ：収差補正兼合焦用移動群
１０ａ：逃げ穴
１１  ：アクチュエータ
１２  ：第１の直動伝達部材
１３  ：可変絞り機構
１３ａ：逃げ穴
１４  ：第２の直動伝達部材
１５  ：係止締結部材
５０  ：複数のカムフォロア
６０  ：複数のカムフォロア
７０  ：複数のカムフォロア
８０  ：複数のカムフォロア
９０  ：複数のカムフォロア
１００：複数のカムフォロア
【図１】
2018025577.tif 000003
【図２】
2018025577.tif 000004
【図３】
2018025577.tif 000005
【図４】
2018025577.tif 000006
【図５】
2018025577.tif 000007